(57)【要約】【課題】  取付けばねを固定する固定部品が器具本体内に突出しないとともに、取付けばねのばね性が低下し難くかつ天井等の設置箇所に容易に設置可能な照明器具を提供する。【解決手段】  照明器具１は、周壁部２ａと、この周壁部２ａの下端に連続して設けられたフランジ部２ｂと、周壁部２ａの上端に連続して設けられた端壁部２ｃを有し、かつ、下端が開口された器具本体２を備える。この器具本体２内にソケット１１を配設し、このソケット１１に光源１５を着脱可能に支持する。不燃材製の延焼遮断部材２５を端壁部２ｃ上に配して器具本体２に固定する。中間部にフランジ部２ｂに対向する曲げ部３２を有した一対の取付けばね３１を固定部品３５で延焼遮断部材２５に固定したことを特徴としている。【選択図】図５
2012124059.tif 000002
【特許請求の範囲】
【請求項１】
周壁部、この周壁部の下端に連続して設けられたフランジ部、及び前記周壁部の上端に連続して設けられた端壁部を有し、かつ、下端が開口された器具本体と；
この器具本体内に配設されたソケットと；
このソケットに着脱可能に支持された光源と；
前記器具本体に固定されて前記端壁部上に配設された不燃材製の延焼遮断部材と；
この遮断部材に固定部品で固定されかつ中間部に前記フランジ部に対向する曲げ部を有した一対の取付けばねと；
を具備することを特徴とする照明器具。
【発明の詳細な説明】
【技術分野】
【０００１】
本発明の実施形態は、ダウンライト等の埋め込み型の照明器具に関する。
【背景技術】
【０００２】
器具本体の下端部にこの本体の下端開口を囲んで設けられたフランジ部と、器具本体の側面に固定された一対の取付けばねとで、屋内等の天井板を上下から挟んで、屋内等の天井に埋め込み設置されるダウンライトが、従来技術として知られている。
【０００３】
ダウンライトを天井に設置する際、取付けばねは、器具本体の外側面に押え付けられるように曲げられた状態で、天井板の器具取付け孔に器具本体とともに挿入される。そのため、天井へのダウンライトの設置作業性を良くするためには、取付けばねが容易に曲がるように構成する必要があるとともに、その際に、取付けばねが過度に曲げられることでへたってばね性が低下しないようにする必要がある。
【０００４】
更に、取付けばねの器具本体への固定は一般的にねじ等により行われる。そのため、器具本体の内部に取付けねじが突出しないようにするねじ受け部を、器具本体の側面に形成することが必要であるが、この構成では、器具本体の構造が複雑化しかつコスト高になる。また、前記ねじ受け部を設けない構成では、取付けねじが器具本体の内部に突出される。このため、器具本体の内部が視認される場合には体裁上好ましくないとともに、ダウンライトが小径化されるほど器具本体に内蔵される光源等の部材と、器具本体内に突出された取付けねじとが干渉する恐れが高まる。
【先行技術文献】
【特許文献】
【０００５】
【特許文献１】特開２０１０−１０２９１３号公報
【発明の概要】
【発明が解決しようとする課題】
【０００６】
実施形態は、取付けばねを固定する固定部品が器具本体内に突出しないとともに、取付けばねのばね性が低下し難くかつ天井等の設置箇所に容易に設置可能な照明器具を提供することにある。
【課題を解決するための手段】
【０００７】
前記課題を解決するために、実施形態の照明器具は、周壁部と、この周壁部の下端に連続して設けられたフランジ部と、周壁部の上端に連続して設けられた端壁部を有し、かつ、下端が開口された器具本体を備え、この器具本体内にソケットを配設するとともに、このソケットに光源を着脱可能に支持し、不燃材製の延焼遮断部材を端壁部上に配設して器具本体に固定し、中間部にフランジ部に対向する曲げ部を有した一対の取付けばねを延焼遮断部材に固定部品で固定したことを特徴としている。
【発明の効果】
【０００８】
実施形態の照明器具によれば、取付けばねを固定する固定部品が器具本体内に突出しないとともに、取付けばねのばね性が低下し難くかつ天井等の設置箇所に容易に設置可能である、という効果を期待できる。
【図面の簡単な説明】
【０００９】
【図１】実施例１に係るダウンライトを示す斜視図である。
【図２】図１のダウンライトを他の方向から見て示す斜視図である。
【図３】図１のダウンライトを示す正面図である。
【図４】図１のダウンライトを示す側面図である。
【図５】図１のダウンライトを示す断面図である。
【図６】図１のダウンライトをそのユニバーサル組立まわりを分解した状態で示す斜視図である。
【図７】図１のダウンライトをその光源を外した状態で示す斜視図である。
【図８】図１のダウンライトの光源とソケットとを分離した状態で示す斜視図である。
【図９】図１のダウンライトをその端子台収容箱まわりを分解した状態で示す斜視図である。
【図１０】実施例２に係るダウンライトを示す斜視図である。
【図１１】実施例２に係るダウンライトを示す断面図である。
【発明を実施するための形態】
【００１０】
実施形態１の照明器具は、周壁部、この周壁部の下端に連続して設けられたフランジ部、及び前記周壁部の上端に連続して設けられた端壁部を有し、かつ、下端が開口された器具本体と；この器具本体内に配設されたソケットと；このソケットに着脱可能に支持された光源と；前記器具本体に固定されて前記端壁部上に配設された不燃材製の延焼遮断部材と；この延焼遮断部材に固定部品で固定されかつ中間部に前記フランジ部に対向する曲げ部を有した一対の取付けばねと；を具備することを特徴としている。
【００１１】
この実施形態１で、器具本体は、金属製であっても合成樹脂製であっても良いが、光源等が発する熱を周囲に放出し易くする上では金属製とすることが好ましく、更に、この器具本体をアルミニウム合金製とする場合には、その金属地肌面からなる内面を光反射面として利用できる点で好ましい。この実施形態１で、光源には、ＬＥＤ（発光ダイオード）を発光体として用いたＬＥＤ光源を好適に使用できるが、蛍光ランプ又は白熱ランプであっても差し支えない。
【００１２】
この実施形態１で、延焼遮断部材は、器具本体に対する内蔵部品が万が一発火した場合に、その火が上方に延焼することを遮るための部材であり、金属により好適に構成できる。この実施形態１で、延焼遮断部材の器具本体への固定は、器具本体にその端壁部より上方に突出する部材固定部を設けて、そこに延焼遮断部材を固定して、この遮断部材で端壁部を上側から覆って固定してもよく、又は、器具本体の端壁部にこれを上側から覆う延焼遮断部材を直接固定することもできる。更に、この実施形態１で、延焼遮断部材を箱に形成してその内部に発火の恐れが考えられる部品を内蔵することは可能であるが、延焼遮断部材は箱構造には限定されず開放構造であっても差し支えない。
【００１３】
この実施形態１で、取付けばねは金属のばね板で形成されるとともに、固定部品にはねじ又はリベット等を用いることが可能である。又、この実施形態１は、例えばダウンライトとして好適に適用できるが、その他の埋め込み型の照明器具にも適用可能である。
【００１４】
実施形態１では、取付けばねを器具本体の端壁部上に配設された延焼遮断部材に固定したので、この取付けばねを固定する固定部品が器具本体の内部に突出することがない。これとともに、取付けばねの固定部と曲げ部との間の長さが長くなることに応じて、固定部と曲げ部との間が撓み易くなるので、天井等の設置箇所に設置する際に取付けばねのばね性が低下し難くかつ容易に設置することが可能である。
【実施例１】
【００１５】
以下、実施例１の照明器具について、図１〜図９を参照して詳細に説明する。
【００１６】
図１から図５中符号１は設置箇所例えば屋内の天井等に埋め込んで設置される照明器具例えばダウンライトを示している。このダウンライト１は、器具本体２と、ユニバーサル組立５と、ソケット１１と、光源１５と、延焼遮断部材例えば端子台収容箱２５と、一対の取付けばね３１を具備している。
【００１７】
器具本体２は例えば金属製具体的にはアルミニウム合金の深絞り製品からなる。アルミニウム合金製の器具本体２の内面は、金属地肌からなる光反射面である。そのため、器具本体２は反射体として用いられている。
【００１８】
器具本体２は、周壁部２ａと、フランジ部２ｂと、端壁部２ｃを有していて、かつ、下端は開口されている。この開口に向けて周壁部２ａの径は次第に広がっている。フランジ部２ｂは、前記開口を囲んで周壁部２ａの下端に連続して外側に張り出している。端壁部２ｃは、周壁部２ａの上端に連続して設けられ、器具本体２の天井壁をなして前記開口に向かい合っている。
【００１９】
周壁部２ａの直径は屋内の天井板Ｃ（図５中二点鎖線参照）に開口された例えば直径１２５ｍｍの器具取付け孔Ｄ（図５中二点鎖線参照）より小さい。フランジ部２ｂは器具取付け孔Ｄの直径より大径である。これにより、器具本体２は、そのフランジ部２ｂが屋内の天井板Ｃに接するまで、器具取付け孔Ｄにその下側から上向きにフランジ部２ｂを除いて挿入可能である。図４及び図５に示すようにフランジ部２ｂは、その内周から外周に行くにしたがって次第に高くなるように傾斜されている。
【００２０】
器具本体２内に配設されるユニバーサル組立５は、図５〜図７に示すように例えば回転部材６とソケットホルダ８とを有している。
【００２１】
回転部材６は、器具本体２の中心軸線Ａ（図５参照）回りに回転可能に器具本体２内に支持されている。即ち、この回転部材６は、例えば金属の帯板を折り曲げて形成されていて、部材ベース部６ａ及びこの両端から折り曲げられた一対のアーム６ｂ，６ｃを有して，側面視略コの字形状をなしている。
【００２２】
回転部材６は、その部材ベース部６ａの中央部を端壁部２ｃの中心部に枢支部材例えば鳩目金具（図５及び図７参照）７を用いて、端壁部２ｃに取付けられている。鳩目金具７は、部材ベース部６ａの連結孔６ｄ及び端壁部２ｃの連結孔２ｄを貫通し、その両端部を広がるようにかしめて変形させることによって設けられている。回転部材６は鳩目金具７を中心に回転可能である。これとともに、回転部材６に外力が加えられない限り、この回転部材６を静止状態に保持する摩擦力が、鳩目金具７により端壁部２ｃと部材ベース部６ａとの間に与えられている。
【００２３】
アーム６ｂは、周壁部２ａとは非接触でかつこの周壁部２ａに沿うように折れ曲がっていて、その先端部は器具本体２の開口近傍に達している。アーム６ｃは、周壁部２ａとは非接触でかつこの周壁部２ａに沿うように折れ曲がっていて、その先端部は、ユニバーサル組立５の操作部６ｅとして用いられるように好ましくは器具本体２の開口を通って器具本体２外に突出されている。
【００２４】
しかも、操作部６ｅはフランジ部２ｂに向けて折れ曲がっている。これにより、操作部６ｅに操作者の指をかけ易くしてあるとともに、操作部６ｅの端面に操作者の指が接し難くなるようにしてある。加えて、図３に示すように操作部６ｅは正面から見て角部が生じないように縁が面取りされていて、それにより、操作部６ｅはその端面に操作者の指が接することをより一層抑制できるように形成されている。操作部６ｅとフランジ部２ｂとは非接触である。
【００２５】
ソケットホルダ８は、金属を絞り加工して得た部品であって、図５〜図７に示すように上下両端が開口された円筒部８ａの一端部に、縮径されたソケット取付け部８ｂを設けて形成されている。ソケットホルダ８は、そのソケット取付け部８ｂを上側にして、かつ、器具本体２の中心軸線Ａに斜めに交差するように傾くことが可能に一対のアーム６ｂ，６ｃに支持されている。
【００２６】
このようなソケットホルダ８の傾き（tilt）調節は以下の構成で実現されている。即ち、円筒部８ａを径方向に挟むアーム６ｂ，６ｃの先端側部位にこれらを貫通するリベットのような枢軸９により円筒部８ａが回動可能に連結されている。この連結により、ソケットホルダ８に外力が加えられない限り、ソケットホルダ８を静止状態に保持する摩擦力が、アーム６ｂ，６ｃと円筒部８ａとの間に与えられている。
【００２７】
更に、枢軸９の近傍に位置してピン１０がアーム６ｂ，６ｃの夫々に突設されていて、これらのピン１０が円筒部８ａの周方向に１８０°離れて形成された長孔８ｃに夫々挿入されている。そのため、ソケットホルダ８は、枢軸９を中心とする回転により器具本体２に対して傾くことが可能であり、その傾きの範囲は、長孔８ｃの端がピン１０に当たることにより規定されるようになっている。
【００２８】
以上のように構成されたユニバーサル組立５を備えたダウンライト１は、鳩目金具７を中心としてユニバーサル組立５全体が鉛直軸線（中心軸線Ａ）回りに回転可能であるとともに、枢軸９を中心としてユニバーサル組立５のソケットホルダ８が上下方向に回転して傾くことが可能である。又、ソケットホルダ８を支持した一対のアーム６ｂ，６ｃは、ソケットホルダ８と器具本体２の周壁部２ａとの間に配置されている。
【００２９】
ソケット（ランプソケット）１１はソケットホルダ８内に位置してソケット取付け部８にねじ止め等により取付けられている。このソケット１１は、例えばＧＸ５３型口金が着脱可能であって、図６〜図８に示すように円形の中央通孔１２の周りに１８０°離れて保持孔１３を設けるとともに、これら保持孔１３に接近する接片１４を裏面に取付けて形成されている。保持孔１３は、広幅孔部とこれに連続した狭幅孔部とからなり略だるま形状をなしている。
【００３０】
図５に示すように光源１５は、発光部１６、この厚み方向一端に連結された例えばＧＸ５３型の口金１７、及び透光性のグローブ１８等を備えたランプである。
【００３１】
発光部１６は、モジュール基板１９に複数の発光体例えばＬＥＤ２０を実装してなる。これにより、発光部１６はＬＥＤ発光モジュールをなしているので、これを備えた光源１５はＬＥＤ光源である。なお、ＬＥＤ２０には、例えば電極が設けられたベース上にＬＥＤチップを実装するとともに、このＬＥＤチップを収容する円錐台状の凹部を有した反射体を接着し、凹部に蛍光体入りの透光性封止樹脂を充填してなるＬＥＤパッケージを用いることができる。このＬＥＤパッケージにおいて、青色発光をするＬＥＤチップが用いられているので、照明光を白色にするために、黄色の蛍光体が用いられている。発光部１６はグローブ１８で覆われている。
【００３２】
発光中の発光部１６の熱が伝導される口金１７は、前記中央通孔１２に挿入される短い円柱状の中央凸部２１、及びこの周囲に設けられた一対の口金ピン（ランプピン）２２を有している。これら口金ピン２２は、互いの中心間距離が光源１５の径方向に５３ｍｍ離れていて、かつ、口金１７の周方向に１８０°離れて配設されている。口金ピン２２の先端部は大径であり、その直径は、保持孔１３の広幅孔部の幅より小さいとともに保持孔１３の狭幅孔部の幅より大きい。更に、口金ピン２２の先端部に連続した軸部は、前記先端部より小径であるとともに、保持孔１３の広幅孔部及び狭幅孔部の幅より小径である。
【００３３】
光源（ランプ）１５の最大径は例えば９０ｍｍである。この光源１５は、回転操作によりソケット１１に着脱可能に支持されている。
【００３４】
即ち、一対の口金ピン２２の大径な先端部を、一対の保持孔１３の広幅孔部に挿入した上で、口金ピン２２が保持孔１３の狭幅孔部に進むように光源１５を回転させるに伴い、ソケット１１の裏側で、保持孔１３の狭幅孔部の相対向する縁部にわたって口金ピン２２の先端部を引掛けることによって、ソケット１１に光源１５を支持できる。又、この支持状態から、口金ピン２２が保持孔１３の狭幅孔部から広幅孔部に進むように光源１５を回転させ、この後に光源１５をソケット１１から離れるように引き動かして、口金ピン２２の大径な先端部を保持孔１３の広幅孔部から抜くことによって、光源１５をソケット１１から離脱させることができる。
【００３５】
ソケット１１に光源１５が支持された状態で、口金ピン２２の先端部の周面は接片１４を撓ませてこれに密接されている。それにより、口金１７と光源１５とが電気的に接続された状態に保持されるようになっている。又、ソケット１１に光源１５が支持された状態で、光源１５のグローブ１８の先端部（下端部）は、図４及び図５に示すように器具本体２の開口を通って外部に突出されている。更に、器具本体２外に位置されたグローブ１８の先端部に対して操作部６ｅは，器具本体２の開口に寄せて配置されており、したがって、図４及び図５ではグローブ１８の下面より上側に配置されている。
【００３６】
端子台収容箱（延焼遮断部材）２５は、中空直方体形状をなしていて、不燃材である金属製の箱ベース２６に箱カバー２７をねじ止めして形成されている。
【００３７】
図９等に示すように箱ベース２６は、長方形のベース板部２６ａの幅方向両側にベース側板部２６ｂを夫々上向きに折り曲げて形成されている。更に、ベース板部２６ａの長手方向の二辺に連結片２６ｃが夫々上向きに折り曲げられている。なお、図９中符号２６ｄは電線通孔を示しているとともに、図９では図の理解を容易にするために光源１５は概略的に描かれている。
【００３８】
箱ベース２６は、器具本体２の端壁部２ｃの上面に重ねられた状態で、ベース板部２６ａを通るねじ等の部品により器具本体２に固定されて、端壁部２ｃを上側から覆って配設されている。この固定により、電線通孔２６ｄは、端壁部２ｃに形成された図示しない電線通孔に対向し連通されている。
【００３９】
金属製の箱カバー２７は、長方形のカバー板部２７ａの長手方向の二辺に第１カバー側板部２７ｂを夫々下向きに折曲げるとともに、カバー板部２７ａの短手方向(幅方向)の二辺に第２カバー側板部２７ｃを夫々下向きに折曲げて形成されている。この箱カバー２７は、箱ベース２６に被された状態で、第１カバー側板部２７ｂの外側から連結片２６ｃにねじ込まれたねじにより、箱ベース２６に連結されている。
【００４０】
端子台例えば電源端子台２８（図４、図５及び図９参照）が、ベース板部２６ａにねじ止め等で固定されて、端子台収容箱２５に内蔵されている。なお、光源１５が調光制御される場合には、調光用端子台が電源端子台２８の他に端子台収容箱２５に内蔵される場合もある。電源端子台２８には、第１カバー側板部２７ｂのうちの一方に形成された通孔２７ｄ（図４参照）を通って端子台収容箱２５内に導入された電源線が接続されるようになっている。更に、電源端子台２８には、一端がソケット１１の接片１４に接続されるとともに中間部が電線通孔２６ｄ等を通った絶縁被覆電線（図示しない）の他端が接続されるようになっている。
【００４１】
電源端子台２８及び前記電線等は樹脂材料等の可燃物を含んでいるが、これら電源端子台２８は端子台収容箱２５によって隔離されているので、電源端子台２８等が万が一発火しても、それによる延焼を端子台収容箱２５により遮ることが可能である。同様に、ソケット１１や光源１５も樹脂材料等の可燃物を含んでいるが、これらが万が一発火しその火炎が電線通孔２６ｄを通ることがあっても、それによる延焼を端子台収容箱２５により遮ることが可能である。
【００４２】
図９に示すように端子台収容箱２５にはばね固定部２９が設けられている。このばね固定部２９は、例えば箱ベース２６が有した一対のベース側板部２６ｂに設けられたねじ孔等からなる固定孔２９ａと、一対の位置決めスリット２９ｂとからなる。これら固定孔２９ａ及び一対の位置決めスリット２９ｂはベース側板部２６ｂの長手方向に並んでいて、固定孔２９ａは一対の位置決めスリット２９ｂ間に設けられている。そして、ばね固定部２９を露出させるための切欠き２７ｅが、箱カバー２７の第２カバー側板部２７ｃの夫々に設けられている。
【００４３】
一対の取付けばね３１は器具本体２の端壁部２ｃより上側に配設されている端子台収容箱２５に固定されている。これら取付けばね３１は金属製ばね板を折り曲げてなり、その中間部に形成された第１曲げ部３２を境に根元板部３１ａと押さえ板部３１ｂを有している。これとともに、押さえ板部３１ｂに第２曲げ部３３が形成されている。
【００４４】
根元板部３１ａは、その長手方向に延びるビードを有しているとともに、上端部（取付けばね３１の固定部）に一対の位置決め片３４ａとこれらの間に位置する固定孔３４ｂを有している。この根元板部３１ａの上端部がばね固定部２９に固定されている。
【００４５】
この固定においては、まず、位置決め片３４ａを位置決めスリット２９ｂに夫々挿入させる。それによる位置決めで、固定孔２９ａに固定孔３４ｂが正しく対向される。次に、端子台収容箱２５の外部から固定孔３４ｂに固定部品例えば固定ねじ３５を通して、この固定ねじ３５を固定孔２９ａにねじ込む。それにより、端子台収容箱２５の側面に取付けばね３１の上端部を固定できる。この場合、位置決めスリット２９ｂに位置決め片３４ａが挿入されているので、固定ねじ３５を締め付ける回転操作に伴って取付けばね３１が傾いて固定されることは防止され、取付けばね３１を適正に固定できる。
【００４６】
取付けばね３１が端子台収容箱２５に固定された状態で、この取付けばね３１の中間部に形成された第１曲げ部３２は、器具本体２のフランジ部２ｂに上方から対向しかつ接近して設けられる。これとともに、取付けばね３１の押さえ板部３１ｂは、器具本体２の周壁部２ａから側方に離れる方向に設けられている。
【００４７】
前記構成のダウンライト１は、一対の取付けばね３１の上端部を、器具本体２の端壁部２ｃ上の端子台収容箱（延焼遮断部材）２５に固定したので、これら取付けばね３１を固定する固定部品である固定ねじ３５が器具本体２の内部に突出することがない。
【００４８】
そのため、器具本体２の内部が覗き見られることがあっても、固定ねじ３５が視認されることがなく体裁上好ましい。更に、器具本体２内のユニバーサル組立５や光源１５等の部材と、固定ねじ３５が干渉することがなく、特に、固定ねじ３５によってユニバーサル組立５の動きに支障を来たすことがない。そのため、ダウンライト１を小径化するのに適している。しかも、器具本体２の内部に固定ねじ３５が突出しないようにするためのねじ受け部を、器具本体２の側面に形成する必要がないので、器具本体２の構造が単純となりそのコストを低減することが可能である。
【００４９】
又、天井板Ｃにダウンライト１を埋め込んで設置するには、取付けばね３１の押さえ板部３１ｂを根元板部３１ａに近付くように取付けばね３１を弾性変形させた状態で、端子台収容箱２５を先頭にして天井板Ｃの器具取付け孔Ｄにダウンライト１を上向きに挿入すればよい。この挿入の完了に伴い取付けばね３１は元の状態に復元しようとする。それにより、天井板Ｃが器具本体２のフランジ部２ｂと第１曲げ部３２とで上下から挟まれるとともに、第２曲げ部３３が天井板Ｃの裏面(上面)に接して、ダウンライト１が天井板Ｃに取付けられる。
【００５０】
更に、既述のように取付けばね３１を端子台収容箱２５に固定したので、取付けばね３１の根元板部３１ａの長さ、つまり、取付けばね３１の上端部（固定部）と第１曲げ部３２との間の長さを、器具本体２の周壁部２ａに取付けばね３１を固定する構成に比較して、長く確保できる。これにより、根元板部３１ａが撓み易くなるので、ダウンライト１を天井板Ｃに設置する際に取付けばね３１のばね性が低下し難いとともに、容易に設置することが可能である。
【００５１】
しかも、実施例１のダウンライト１の構成によれば、器具本体２の周壁部２ａに取付けばね３１を固定した構成と比較して、根元板部３１ａが長いので、以下の不具合を抑制することが可能である。
【００５２】
即ち、以上の設置後に、既に接続されている図示しない電源線が引っ張られることがあり、このとき、設置されたダウンライト１は、取付けばね３１の天井板Ｃ裏面に接した第１曲げ部３２を支点として引き動かされようとする。このような状況に至った場合、実施例１のダウンライト１と前記比較対象品のダウンライト１が電源線で引き動かされる量が同じであれば、根元板部３１ａが長い実施例１のダウンライトの方が、鉛直線に対して傾く程度が小さい。そのため、フランジ部２ｂと天井板Ｃの下面との間にダウンライト１の傾きに応じた隙間が形成されることがあっても、この隙間を目立たない程度に小さく抑制できる。これにより、実施例１のダウンライト１を安定させた状態に設置することが可能である。
【００５３】
なお、以上のように天井板Ｃにダウンライト１が設置された状態で、ソケット１１に光源１５を取付けるには、まず、器具本体２外に突出されている操作部６ｅに操作者の片手を添える。具体的には操作部６ｅを押さえる。次に、この状態で、光源１５を、ユニバーサル組立５のソケットホルダ８内に挿入するとともに、既に説明した手順により所定角度回転操作して、この光源１５の口金１７をソケット１１に取付ける。
【００５４】
この場合、光源１５の回転操作に伴い、ソケット１１を介してこれが取付けられたユニバーサル組立５に器具本体２の中心軸線Ａ回りの回転力が波及する。しかし、操作部６ｅが人為的に押えられていることにより、ユニバーサル組立５が光源１５の回転操作に伴い連れ回りすることが抑制され、ユニバーサル組立５及びソケット１１が不用意に動かないように保持される。
【００５５】
このため、天井側での高所作業であるにも拘らず、ソケット１１に対して光源１５を容易に取付けることができる。これとともに、ソケット１１に対して光源１５が適正に回転されるに伴い、口金ピン２２の先端部が接片１４を確実に弾性変形させてこれに接した状態となるように光源１５を取付けることが可能である。即ち、光源１５の取付け不良が抑制されて、光源１５をソケット１１に適正に装着可能であるため、取付け不良に起因する発光不良や取付け操作後に作用する振動等で光源１５が落下する恐れがないように光源１５をソケット１１に取付けることが可能である。
【００５６】
同様に、器具本体２外に光源１５を取出す場合にも、操作部６ｅに手を添えてユニバーサル組立５及びソケット１１を不用意に動かないように保持した状態で、光源１５を外す方向に回転操作できる。これにより、光源１５を、ソケット１１から容易に外して、器具本体２外に取出すことが可能である。
【００５７】
実施例１のダウンライト１は、ユニバーサル組立５に光源１５を支持しているので、器具本体２の中心軸線Ａ回りに光源１５を回転させることができるとともに、光源１５の周部を押上げるように押込むことにより、光源１５を中心軸線Ａに交叉するように傾けることができる。それにより、光の照射方向等を調節可能である。
【００５８】
ところで、前記構成のダウンライト１において、器具本体２の内周と光源１５の外周との間の隙間が、そこに操作者の指を差し入れて光源１５の周面を掴んでこの光源１５を回転させる程度に広くない場合には、中心軸線Ａ回りに光源１５を回転させる際、器具本体２外に突出された光源１５の先端部を掴んで操作することになる。このとき、光源１５の回転操作方向が、保持孔１３の狭幅孔部から広幅孔部に向かう方向に一致する場合、口金１７とソケット１１との接続が解除されて光源１５が外れる恐れが考えられる。
【００５９】
しかし、ユニバーサル組立５は器具本体２の外に突出された操作部６ｅを有しているので、この操作部６ｅを器具本体２の周方向に押すことによって、ユニバーサル組立５を中心軸線Ａ回りに動かすことができる。これにより、ソケット１１とこれに支持された光源との相対位置を変えることなく、光源１５を中心軸線Ａ回りに回転させることができる。したがって、こうした光源１５の回転調節に伴い、口金１７とソケット１１との接続が解除されて光源１５が外れないようにすることが可能である。
【実施例２】
【００６０】
図１０及び図１１を参照して実施例２のダウンライト（照明器具）について詳細に説明する。実施例２のダウンライトは以下説明する事項以外は実施例１のダウンライトと同じ構成である。このため、実施例１と同じ構成については同一符号を付してその説明を省略する。
【００６１】
この実施例２のダウンライトは、実施例１で用いたユニバーサル組立を省略するとともに、延焼遮断部材として、実施例１で説明した端子台収容箱の箱ベース２６のみを用いた点で、実施例１と異なる。なお、この実施例２で、図１０及び図１１中に二点鎖線で示す箱カバー２７を箱ベース２６にねじ止めして端子台収容箱を構成し、これを延焼遮断部材として用いることは可能である。
【００６２】
実施例２では、器具本体２の端壁部２ｃの下面にソケット１１がねじ止めされている。そして、光源１５が備えたＧＸ５３型の口金１７の中央凸部２１の上端面は、光源１５がソケット１１に支持された状態で端壁部２ｃに面接触されている。これにより、光源１５の発光中に生じる熱を、口金１７の中央凸部２１を経由させてアルミニウム合金製の器具本体２の端壁部２ｃに伝導させ、更に、器具本体２から外部に放出できる。このため、光源１５からの放熱性が実施例１よりも優れていて、この光源１５が有するＬＥＤ２０の温度上昇を効果的に抑制することが可能である。
【００６３】
以上説明した事項以外は、図１０及び図１１に示されない構成を含めて実施例１と同じである。したがって、実施例２においても、実施例１で既に説明した理由によって、取付けばね３１を固定する固定ねじ３５が器具本体２内に突出しないとともに、取付けばね３１のばね性が低下し難くかつ天井等の設置箇所に容易に設置可能なダウンライト１を提供することが可能である。
【００６４】
実施例２で前記各実施例では、延焼防止部材の側面に取付けばねの上端部を固定したが、延焼防止部材が端子台収容箱である場合、この箱の側部上面に固定ねじ等で取付けばねの上端部を固定することも可能である。
【符号の説明】
【００６５】
１…ダウンライト（照明器具）、２…器具本体、２ａ…周壁部、２ｂ…フランジ部、２ｃ…端壁部、１１…ソケット、１５…光源、２５…端子台収容箱（延焼遮断部材）、２６…箱ベース（延焼遮断部材）、２９…ばね固定部、３１…取付けばね、３２…第１曲げ部、３５…固定ねじ（固定部品）
【図１】
2012124059.tif 000003
【図２】
2012124059.tif 000004
【図３】
2012124059.tif 000005
【図４】
2012124059.tif 000006
【図５】
2012124059.tif 000007
【図６】
2012124059.tif 000008
【図７】
2012124059.tif 000009
【図８】
2012124059.tif 000010
【図９】
2012124059.tif 000011
【図１０】
2012124059.tif 000012
【図１１】
2012124059.tif 000013